(57)【要約】  【課題】本発明では無線照明制御システムが開示される。  【解決手段】本発明の一実施形態による無線照明制御システムは、照明の状態を制御する制御モジュール及び前記制御モジュールにコマンドを入力する入力モジュールを含む複数の照明装置と、前記照明装置と複数の通信チャンネルで無線通信して前記照明装置を制御する制御装置とを含み、前記制御モジュールは前記制御装置と通信連結状態で前記制御装置によって制御される第１モードと、前記制御装置と通信断絶状態で前記制御装置と独立的に制御される第２モードの中の一つで作動し、前記制御装置は複数の照明パターンの中の一つを入力して前記照明パターンによって前記複数の照明装置を制御し、前記複数の照明装置は第１照明装置及び第２照明装置を含み、前記第１照明装置は前記コマンドを通じて前記制御装置にシグナルを送って前記第２照明装置を制御する。【選択図】図１
2015115317.tif 000002
【特許請求の範囲】
【請求項１】
照明の状態を制御する制御モジュール及び前記制御モジュールにコマンドを入力する入力モジュールを含む複数の照明装置と；
前記照明装置と複数の通信チャンネルで無線通信して、前記照明装置を制御する制御装置とを含み、
前記制御モジュールは前記制御装置と通信連結状態で前記制御装置によって制御される第１モードと、前記制御装置と前記制御モジュールの通信が断絶される通信断絶状態で前記制御装置と独立的に前記入力モジュールによって制御される第２モードの中の一つで作動し、
前記制御装置は複数の照明パターンの中の一つを入力して、前記照明パターンによって前記複数の照明装置を制御し、
前記複数の照明装置は第１照明装置及び第２照明装置を含み、前記第１照明装置は前記コマンドを通じて前記制御装置にシグナルを送って前記第２照明装置を制御し、
前記第１照明装置の前記入力モジュールは加速度計センサーを含み、３次元モーションを通じて前記コマンドを入力し、前記複数の照明装置は前記コマンドに対応する照明パターンを表示し、
前記照明装置は複数のランプをさらに含み、前記加速度計センサーを通じて所定の往復パターンが感知されると、前記複数のランプを制御して残像を通じて所定のイメージを出力する、無線照明制御システム。
【請求項２】
前記入力モジュールは外部の音を感知する音響センサーをさらに含み、
前記照明装置は前記外部の音に対応して前記照明の状態を自動的に制御する、請求項１に記載の無線照明制御システム。
【請求項３】
前記照明装置はバータイプで、
前記照明装置は前記バータイプの長手方向に対応して一列に配置された複数のランプをさらに含み、
前記複数のランプは一端部から他端部まで順次に点灯されて所定の照射パターンを形成する、請求項１に記載の無線照明制御システム。
【請求項４】
前記照明装置は、ＲＦ通信モジュールがアレイ形態で５つが配置されて、前記複数の通信チャンネルで無線通信する、請求項１に記載の無線照明制御システム。
【発明の詳細な説明】
【技術分野】
【０００１】
本発明は無線照明制御システムに関するもので、さらに詳しくは、無線で複数の照明装置を制御して、所定の照明パターンを形成することができる無線照明制御システムに関するものである。
【背景技術】
【０００２】
一般に、照明器具とは光源からの光を反射、屈折及び透過させて照明の目的を達成させるものである。照明器具は、配光によって分類すると、間接照明器具、半間接照明器具、全般拡散照明器具、半直接照明器具及び直接照明器具の５種類に分類されることができる。
【０００３】
低電力で駆動可能で最近注目されている光源であるＬＥＤ（Ｌｉｇｈｔ  Ｅｍｉｔｔｉｎｇ  Ｄｉｏｄｅ；発光ダイオード）は、半導体のｐ−ｎ接合構造を利用して注入された少数キャリア（電子）を作り出し、これら少数キャリアの再結合によって発光する。このようなＬＥＤは従来の光源に比べて小型で、寿命が長く、また、電気エネルギーが光エネルギーに直接変換するので、電力の消耗が少なく、效率が良いという特徴を有する。
【０００４】
照明器具の技術発展によって建物の外壁に所定の映像を出力するメディアファサード技法などや小型応援道具などのような従来にはなかった多様な用途に照明が用いられている。
【発明の開示】
【発明が解決しようとする課題】
【０００５】
従来の照明器具の中で、特に小型応援道具のような場合、一定照度以下の環境で行われる運動競技やコンサートなどで活用されているが、複数の照明器具が個別に制御されるため、体系的な照明パターンや形状を生成しにくい側面がある。
【０００６】
特に、応援の目的で用いられる照明装置の場合には、特定の照明パターンを形成して自分の所望の応援対象にメッセージを伝達するための需要があるが、これを充足させるための方法が提供されていない実情である。
【０００７】
上記のような問題点から案出された本発明が解決しようとする技術的課題は、制御部で複数の照明装置を遠隔で制御することができる無線照明制御システムを提供することにある。
【０００８】
本発明が解決しようとする他の技術的課題は、無線通信の安定性が増加され、照明パターンを現場で簡単に入力することができて、制御が容易な無線照明制御システムを提供することにある。
本発明の技術的課題は以上で言及した技術的課題に制限されず、言及されなかったまた他の技術的課題は以下の記載から当業者に明確に理解されるであろう。
【課題を解決するための手段】
【０００９】
以上で言及された技術的課題を解決するために、本発明の一実施形態による無線照明制御システムは、照明の状態を制御する制御モジュール及び前記制御モジュールにコマンドを入力する入力モジュールを含む複数の照明装置と、上記照明装置と複数の通信チャンネルで無線通信して上記照明装置を制御する制御装置とを含み、上記制御モジュールは上記制御装置と通信連結状態で上記制御装置によって制御される第１モードと、上記制御装置と通信断絶状態で上記制御装置と独立的に制御される第２モードの中の一つで作動し、上記制御装置は複数の照明パターンの中の一つを入力して、上記照明パターンによって上記複数の照明装置を制御し、上記複数の照明装置は第１照明装置及び第２照明装置を含み、上記第１照明装置は上記コマンドを通じて上記制御装置にシグナルを送って上記第２照明装置を制御する。
上記入力モジュールは加速度計センサーを含み、３次元モーションを通じて上記コマンドを入力する。
【００１０】
上記照明装置は複数のランプをさらに含み、上記加速度計センサーを通じて所定の往復パターンが感知されると、上記複数のランプを制御して残像を通じて所定のイメージを出力する。
上記入力モジュールは外部の音を感知する音響センサーをさらに含み、上記照明装置は上記外部音に対応して上記照明の状態を自動的に制御する。
【００１１】
上記照明装置はバータイプで、上記照明装置は上記バータイプの長手方向に対応して一列に配置された複数のランプをさらに含み、上記複数のランプは一端部から他端部まで順次に点灯されて所定の照射パターンを形成する。
上記照明装置は、ＲＦ通信モジュールがアレイ形態で５つが配置されて、上記複数の通信チャンネルで無線通信する。
【発明の効果】
【００１２】
上記のような本発明によれば、以下のような多様な效果を奏する。
即ち、本発明の実施形態によれば、制御部側で複数の照明装置を遠隔で自由に制御することができる無線照明制御システムを提供することができる。
【００１３】
また、複数の通信チャンネルを利用して無線通信の安定性が増加され、マスター装置がスレーブ装置を制御することによって、照明パターンを現場で簡単に入力することができ、制御が容易な無線照明制御システムを提供することができる。
【００１４】
また、多様な外部の刺激、例えば音響や加速度などを測定して、これを照明制御に反映することによって動的に照明を制御することができ、照明装置から残像によるイメージ生成または順次照射パターンを利用して、多様な照明效果を提供することができる無線照明制御システムを提供することができる。
【図面の簡単な説明】
【００１５】
【図１】本発明の一実施形態による無線照明制御システムの概略的な構成を示すブロック図である。
【図２】図１の無線照明制御システムの無線制御構造を示す図面である。
【図３】本発明の多様な実施形態による無線照明制御システムの動作を例示的に示す図面である。
【図４】本発明の多様な実施形態による無線照明制御システムの動作を例示的に示す図面である。
【図５】本発明の多様な実施形態による無線照明制御システムの動作を例示的に示す図面である。
【図６】本発明の他の実施形態による無線照明制御システムの照明装置の構成を示すブロック図である。
【図７】本発明のまた他の実施形態による無線照明制御システムの照明装置の構成を示す概路図である。
【図８】本発明のまた他の実施形態による無線照明制御システムの制御装置の一例を示す図面である。
【発明を実施するための形態】
【００１６】
以下、添付された図面を参照して本発明の好ましい実施形態を詳しく説明する。本発明の利点、特徴、及びそれらを達する方法は添付される図面と詳細に後述されている実施形態を通じて明確になる。しかし、本発明は以下で開示される実施形態に限定されるのではなく、互いに異なる多様な形態で具現されることができる。本実施形態は本発明の開示が完全になるようにし、本発明の属する技術分野において通常の知識を有する者に発明の範疇を完全に知らせるために提供されるものであり、本発明は請求項の範疇によって定義される。明細書の全体にかけて同じ参照符号は同じ成要素を指称する。
【００１７】
他に定義のない場合、本明細書で用いられる全ての用語（技術及び科学的用語を含む）は本発明の属する技術分野において通常の知識を有する者に共通的に理解されることができる意味で用いられることができる。また、一般的に用いられる辞典に定義されている用語は明確に特別に定義されていない限り理想的または過度に解釈されてはならない。
【００１８】
本明細書で用いられる用語は実施形態を説明するためのものであって、本発明を制限するためのものではない。本明細書において、単数型は特別に言及しない限り複数型も含む。明細書に用いられる「含む（ｃｏｍｐｒｉｓｅｓ）」及び／または「含んでいる（ｃｏｍｐｒｉｓｉｎｇ）」は言及された構成要素以外に一つ以上の他の構成要素の存在または追加を排除しない。
以下、図面を参照して本発明の実施形態による無線照明制御システムについて説明する。
【００１９】
図１は本発明の一実施形態による無線照明制御システムを示す。本実施形態による無線照明制御システム１００は、照明装置１０と制御装置２０とを含んで構成され、照明装置１０は照明の状態を制御する制御モジュール１１と制御モジュール１１にコマンドを入力する入力モジュール１２とを含んで構成される。
【００２０】
ここで、本実施形態で用いられる「モジュール」という用語は、ソフトウェアまたはハードウェア機能別、ＦＰＧＡまたはＡＳＩＣのようなハードウェア構成要素を意味することができ、「モジュール」はある役割を果たす。しかし、「モジュール」はソフトウェアまたはハードウェアに限定される意味ではない。「モジュール」はアドレッシングすることができる貯蔵媒体にあるように構成されることもでき、一つまたはそれ以上のプロセッサを再生させるように構成されることもできる。従って、一例として、「モジュール」はソフトウェア構成要素、客体指向ソフトウェア構成要素、クラス構成要素及びタスク構成要素のような構成要素と、プロセス、関数、属性、プロシージャ、サブルーチン、プログラムコードのセグメント、ドライバー、ファームウエア、マイクロコード、回路、データ、データベース、データ構造、テーブル、アレイ、及び変数を含む。構成要素と「モジュール」の中で提供される機能はさらに小さい数の構成要素及び「モジュール」で結合されたり追加的な構成要素と「モジュール」にさらに分離されることができる。
【００２１】
照明装置１０は複数備えられ、照明装置１０の形状には制限がない。例えば、使用者が把持可能な形状である棒やバータイプであってもよく、体の手首や頭などに着用可能なウェアラブルタイプであってもよい。
【００２２】
照明装置１０はそれぞれ多様な色を具現することができるように、多様な色の光源、例えば赤色Ｒ、緑Ｇ、青色Ｂのように多様な色の光源が一つの光源モジュールで具現されることができる。
【００２３】
制御モジュール１１は照明の状態を制御し、例えば照明の明るさや色及び点滅に対する状態を制御することができる。制御モジュール１１は、制御装置２０から所定のパターンや映像データを受信すると、それによって整列された複数の照明装置１０が順次に点灯または滅灯されて所定の映像を具現することができる。
【００２４】
例えば、制御モジュール１１はＤＭＸ５１２コントローラーを含むことができ、自体的に照明装置１０を制御することもできる。また、このようなコントローラーは制御装置２０に含まれて、複数の照明装置１０を制御することもできる。
【００２５】
図２によれば、制御モジュール１１は制御装置２０と通信連結状態で制御装置２０によって制御される第１モードと、制御装置２０と通信断絶状態で制御装置２０と独立的に制御される第２モードの中の一つで作動することができる。即ち、制御装置２０が複数の照明装置１０の制御モジュール１１に連結されて、一括に照明装置１０全体を制御することによって、特定映像を出力したり、特定パターンや文様、またはメッセージを生成してマスゲーム形態で表示することができる。この時、制御装置２０は複数の照明パターンの中の一つを入力して選択した照明パターンによって、複数の照明装置１０を制御して所定のイメージを具現することができる。
【００２６】
例えば、具体的に、複数の照明装置１０を制御するための第１モード状態での制御装置２０は、ラインドライバーまたは入力装置から映像データなどを受信し、通信プロトコルが映像データパケットであるか映像データレッチ（Ｌａｔｃｈ）パケットであるかを判断し、映像データである場合、以前に受信したデータを複数の照明装置１０に送信し、新しく受信されたデータはシフトレジスター（ＳＨＩＦＴ  ＲＥＧＩＳＴＥＲ）に入力して押し出た映像データは、次の次数の照明装置１０に送信されて順次に映像を出力することができる。映像データが全部照明装置１０に送信されると、データレッチパケットが受信され、複数の照明装置１０は現在受信されたデータをＲＧＢで混合してカラー値を出力することができる。例えば、映像データはカラー値で表現されることができ、明るさはＰＷＭ（Ｐｕｌｓｅ  Ｗｉｄｔｈ  Ｍｏｄｕｌａｔｉｏｎ）によって機能が制御されることもできる。
【００２７】
このために、制御装置２０は、ＳＤカードやＤＶＩ入力をＤＭＸ５１２に変化して映像データを生成する変換器を利用して映像を表示するコントローラー（Ｃｏｎｔｒｏｌｌｅｒ）を含むこともでき、ＲＧＢモニター出力、ＤＶＩ、ＳＤ、イーサネット（ＥＴＨＥＲＮＥＴ）（登録商標）を利用した内部貯蔵部に貯蔵されている映像を選択して、照明装置１０に送ることもでき、既存に予め設定されている照明パターンを選択して照明装置１０に送ることもできる。
【００２８】
このように、制御装置２０が制御権を有する状態では、照明装置１０の入力モジュール１２が動作しないように非活性化されることができる。一方、独立的な制御モードである第２モードに設定されると、制御装置２０と制御モジュール１１との通信が断絶されることができ、入力モジュール１２によって個別使用者が設定したとおり照明装置１０が制御されることができる。
【００２９】
入力モジュール１２は制御モジュール１１にコマンドを入力して、所望の照明状態で個別的な制御をすることができる。入力モジュール１２はボタンやスィッチタイプであることができ、タッチパネルが含まれてより精巧で多様な制御をすることもできる。
【００３０】
図３によれば、他の実施形態で入力モジュール１２は加速度計センサーを含むことができ、３次元モーションを通じて照明制御のためのコマンドを入力することができる。例えば、複数の照明装置１０は、第１照明装置１０＿１（以下、ＭＡＳＴＥＲ）及び第２照明装置１０＿２、１０＿３、１０＿４、１０＿５、１０＿６、１０＿７（以下、ＳＬＡＶＥ）を含み、第１照明装置（ＭＡＳＴＥＲ）はコマンド入力を通じて制御装置２０にシグナルを送って第２照明装置（ＳＬＡＶＥ）を制御することもできる。即ち、現場統制権を有する管理者が第１照明装置（ＭＡＳＴＥＲ）を通じて他の第２照明装置（ＳＬＡＶＥ）を管理したり所望のパターンを具現することもできる。第１照明装置（ＭＡＳＴＥＲ）と第２照明装置（ＳＬＡＶＥ）は制御装置２０を通じて間接的に通信することもでき、Ｐ２Ｐ方式やアドホックを通じて直接的に通信することもできる。
【００３１】
例えば、３次元モーション入力方式は、３軸加速度計を利用して感知されたモーションと既存に設定されたモーションを比較して対応するコマンドを検出する方式であることもでき、使用者が入力した３次元モーションを認識して、これを２次元にマッピングさせて、使用者が入力した形状そのままイメージが具現されることもできる。
【００３２】
他の実施形態で、照明装置１０は複数のランプをさらに含み、加速度計センサーを通じて所定の往復パターンが感知されると、複数のランプを制御して残像を通じて所定のイメージを出力することもできる。即ち、バータイプの照明装置１０を左右に繰り返して振ると、このような往復パターンを認識してランプを制御することによって、残像を通じるイメージが出力されることができる。具体的に、照明装置１０は文字やイメージをディスプレーすることができるランプの配列、例えばＬＥＤ素子が配列され、所定の解像度を有するドット形態に配列されてランプを個別的に制御して、特定位置のランプのみ選択的に点灯することによって、所望の文句やイメージをディスプレーすることができる。この時、照明装置１０の全体面積に所望の文句全体を作成することもでき、全体文句を表示する面積が不足する場合、特定文句の文字を分けて所定時間の間隔をおいて連続的で順次に文字を表示することができる。この場合、文字を表示する時、残像效果によって連続して文字が照明装置１０の往復範囲内で表示されることができる。例えば、時間間隔は３０ｍｓにして文句の文字を連続的に表示することができるが、これに限定されるのではなく、往復パターンの速度や加速度を測定して往復速度に合わせてフレーム別時間間隔を制御することができる。即ち、照明装置１０の往復を早くする場合、フレーム別時間間隔を短く設定することができ、往復を遅くする場合、フレーム別時間間隔を長く設定することができる。
【００３３】
また、往復パターンの大きさや強度、繰り返し回数などを感知してランプの輝度やイメージの大きさを制御することもできる。即ち、照明装置１０をさらに激しく振ると、イメージがより明るくて大きくなるように設定されることもできるが、これに限定されるのではない。
【００３４】
図４及び図５によれば、制御装置２０は自体的に貯蔵された照明パターンや具現するために入力された映像をデジタル化して、使用者が決めた数量でダウンスケール（Ｄｏｗｎ−Ｓｃａｌｅ）した後、ＳＰＩ通信で映像データを各照明装置１０に送ることができる。この時、制御装置２０の内部にラインドライバーが含まれることができ、ラインドライバーは受信された映像データをバッファリング（Ｂｕｆｆｅｒｉｎｇ）して、同期化シグナルなど一緒に照明装置１０に送ることができる。
【００３５】
このように、制御装置２０は映像の分配を行うことができ、各照明装置１０は電源供給、過電圧、逆電圧及びショート（ＳＨＯＲＴ）に対する保護回路を含むことができる。
【００３６】
制御装置２０は多様な形態で用いられることができ、ネットワークで連結されて相互間のデータ送信が可能なＰＣタイプのサーバーやタブレットＰＣのようなモバイル装置またはこのようなモバイル装置が装着された多様な手段を包括することができるが、これに限定されるのではない。例えば、制御装置２０は無線インターネットまたは携帯インターネットを通じて通信する携帯電話（Ｃｅｌｌｕｌａｒ  ｐｈｏｎｅ）、デジタル携帯電話（ＰＣＳ  ｐｈｏｎｅ：Ｐｅｒｓｏｎａｌ  Ｃｏｍｍｕｎｉｃａｔｉｏｎｓ  Ｓｅｒｖｉｃｅｓ  ｐｈｏｎｅ）、同期式／非同期式ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ−２０００）などの移動端末を含み、その外にもファームＰＣ（Ｐａｌｍ  Ｐｅｒｓｏｎａｌ  Ｃｏｍｐｕｔｅｒ）、個人用デジタル補助機器（ＰＤＡ：Ｐｅｒｓｏｎａｌ  Ｄｉｇｉｔａｌ  Ａｓｓｉｓｔａｎｔ）、スマートフォン（Ｓｍａｒｔ  ｐｈｏｎｅ）、ワイヤレスアプリケーションプロトコル（ ＷＡＰ  ｐｈｏｎｅ：Ｗｉｒｅｌｅｓｓ  ａｐｐｌｉｃａｔｉｏｎ  ｐｒｏｔｏｃｏｌ  ｐｈｏｎｅ）、モバイルゲーム機（ｍｏｂｉｌｅ  ｐｌａｙ−ｓｔａｔｉｏｎ）などの照明装置１０に接続するための使用者インターフェースを有する全ての有無線家電／通信装置を包括的に意味することができる。制御装置２０の例示的な画面構成は図８を参照して説明する。
【００３７】
図示したように、制御装置２０は無線で遠隔で複数の照明装置１０を制御することができる。各照明装置１０は独立的に制御されることができ、点灯、滅灯、輝度、色相を組み合わせて、所定の照明パターンやイメージまたは動画などを表現することができる。
【００３８】
このために、制御装置２０は複数の無線通信チャンネルで通信するマルチチャンネル通信アンテナモジュール２１をさらに含むことができる。マルチチャンネル通信アンテナモジュール２１は複数の周波数チャンネル例えば５つの周波数チャンネルを通じて照明装置１０と通信することができ、ジグビー(Ｚｉｇｂｅｅ)（登録商標)方式の標準プロトコルを利用することができる。
【００３９】
ジグビー(Ｚｉｇｂｅｅ)（登録商標）は８６８ＭＨｚ、９０２−９２８ＭＨｚ及び２．４ＧＨｚで動作する周辺装置接続が無線で行われる個人領域通信網である無線個人領域通信網規格である。ジグビーを用いると、無線個人領域通信網内で通常５０ｍ以内の距離に離れている周辺装置の間に最高２５０Ｋｂｐｓの速度でデータを取り交わすことができ、ＩＥＥＥ−ＳＡによって承認された８０２．１５規格に基盤を置いている。ただ、本発明の実施形態でマルチチャンネル通信アンテナモジュール２１を指向性アンテナで採用することによって、最大２ｋｍ内外の送信範囲を有することができる。また、制御装置２０と照明装置１０の間に通信中継器（図示しない）を備えて、無線制御信号の送信範囲をさらに拡張することもできる。
【００４０】
図６は本発明の他の実施形態による無線照明制御システムを示す。本実施形態による無線照明制御システムの照明装置１０は制御モジュール１１、入力モジュール１２、ランプ１３、音響センサー１４、通信モジュール１５を含むことができる。
【００４１】
音響センサー１４は入力モジュール１２と連結されてデータを送受信することができ、入力モジュール１２内に音響センサー１４が含まれることもできる。音響センサー１４は外部の音を感知し、照明装置１０は外部の音に対応して照明の状態を自動的に制御することができる。即ち、外部の音が大きく発生するコンサートホールのような環境では照明装置１０の輝度が高くなったり低くなるように設定することもできる。
【００４２】
照明装置１０は通信モジュール１５を含むことができ、通信モジュール１５は前述した制御装置２０のマルチチャンネル通信アンテナモジュール２１とマルチチャンネル通信を行うことができるように構成される。通信モジュール１５はＲＦ通信モジュールがアレイ形態で複数、例えば５つが配置されて、複数の通信チャンネルで遠隔地の制御装置２０と無線通信することができる。同じデータを複数の通信チャンネルで繰り返し送信することによって、データの無欠性を確保することができ、信頼性及び安定性を向上させることができる。
図７は本発明のまた他の実施形態による無線照明制御システムの照明装置の構成を示す概路図である。
【００４３】
本実施形態による照明装置１０は一側に長い形態のバータイプで、照明装置１０は長手方向に対応して一列に配置された複数のランプ１３＿１、１３＿２、１３＿３、１３＿４（以下、  １３）をさらに含み、複数のランプ１３は一端部から他端部まで順次に点灯されて、所定の照射パターンＬを形成することができる。例えば照射パターンＬは円形または星の形状など多様な形状を有することができ、一端部（図７の左側）から他端部（図７の右側）まで順次にランプ１３を点灯して照明イメージが移動または前進する效果を表現することができる。
【００４４】
図８は本発明のまた他の実施形態による無線照明制御システムの制御装置の一例を示す。制御装置２０の表示部２２には予め設定された多様な照明パターンが表示される。管理者が制御装置２０の表示部２２で所望の照明パターンを選択すると、制御装置２０が連結された複数の照明装置１０にシグナルを送って選択した照明パターンを実際照明装置１０で具現することができる。色や形態などを自由に選択することができ、前述したように、動画などをダウンスケーリングして照明装置１０で所望の映像を出力することもできる。
【００４５】
以上で添付された図面を参照して本発明の実施形態を説明したが、本発明の属する技術分野において通常の知識を有する者は本発明のその技術的思想や必須特徴を変更することなく他の具体的な形態に実施されることができることを理解すべきである。従って、以上で記述した実施形態は全ての面で例示的なもので、限定的ではないことを理解すべきである。
【符号の説明】
【００４６】
１０：照明装置
１１：制御モジュール
１２：入力モジュール
２０：制御装置
【図１】
2015115317.tif 000003
【図２】
2015115317.tif 000004
【図３】
2015115317.tif 000005
【図４】
2015115317.tif 000006
【図５】
2015115317.tif 000007
【図６】
2015115317.tif 000008
【図７】
2015115317.tif 000009
【図８】
2015115317.tif 000010